(57)【要約】【課題】掬い部で掬い取った粉体を他の容器等に入れるにあたり、粉体の溢れを防止することができるスプーンを提供する。【解決手段】本発明のスプーンは、掬い部３ａ及び柄部４ａを有するスプーン本体２と、柄部４ａに対して回転可能に支持される支持部５ｆ、及び支持部５ｆにつながるとともに支持部５ｆの回転に伴って掬い部３ａを閉鎖する位置と掬い部３ａを開放する位置との間で移動する遮蔽部５ａを有する蓋体５とを備え、掬い部３ａ及び遮蔽部５ａの少なくとも一方は、柄部４ａ又は支持部５ｆに対してスライド可能につながるものであって、支持部５ｆの回転に伴って遮蔽部５ａが掬い部３ａを閉鎖した位置において、掬い部３ａ及び遮蔽部５ａの少なくとも一方をスライドさせることによって掬い部３ａ及び遮蔽部５ａの少なくとも一方が少なくとも部分的に開放されるものである。【選択図】図１
2018204960.tif 000002
【特許請求の範囲】
【請求項１】
掬い部及び該掬い部につながる柄部を有するスプーン本体と、
前記柄部に対して回転可能に支持される支持部、及び該支持部につながるとともに該支持部の回転に伴って前記掬い部を閉鎖する位置と該掬い部を開放する位置との間で移動する遮蔽部を有する蓋体とを備えるスプーンであって、
前記支持部は、前記柄部が延在する面に対して接近或いは離反する向きに回転可能に支持されるものであり、
前記掬い部及び前記遮蔽部の少なくとも一方は、前記柄部又は前記支持部に対してスライド可能につながるものであって、前記支持部の回転に伴って該遮蔽部が該掬い部を閉鎖した位置において該掬い部及び該遮蔽部の少なくとも一方をスライドさせることによって該掬い部及び該遮蔽部の少なくとも一方が少なくとも部分的に開放されるスプーン。
【請求項２】
前記遮蔽部は、前記掬い部が凹む向きとは反対に凹むものである請求項１に記載のスプーン。
【請求項３】
前記遮蔽部の内容積は、前記掬い部の内容積に対して相異するものである請求項２に記載のスプーン。
【請求項４】
前記掬い部は、平面状の前方周壁を有する請求項１〜３の何れか一項に記載のスプーン。
【請求項５】
前記柄部及び前記支持部の少なくとも一方は、他方に対して当接し、該柄部が延在する面に対して該支持部を離反させる弾性部を有する請求項１〜４の何れか一項に記載のスプーン。
【発明の詳細な説明】
【技術分野】
【０００１】
本発明は、粉末の調味料や食品、各種の洗剤等を掬う際に使用されるスプーンに関する。
【背景技術】
【０００２】
粉末の調味料や食品、各種の洗剤等の粉体を掬う際には、一般にスプーンが使用されている（例えば特許文献１、２を参照）。このようなスプーンは、上方が開放された凹状の掬い部を有していて、容器に収容した粉末の調味料等を鍋や他の容器等に入れる際には、この掬い部に調味料等を掬い取って他の容器等へ向けてスプーンを移動させる。
【先行技術文献】
【特許文献】
【０００３】
【特許文献１】特開２０１０−２３０３７６号公報
【特許文献２】特開２００４−１９１２４８号公報
【発明の概要】
【発明が解決しようとする課題】
【０００４】
ところで、粉体を掬い取って他の容器等に入れる際には、多くの場合、この作業だけではなく他の作業も一緒に行っている。例えば料理を行う場合は、使用中の調理器具（お玉杓子等）を片手に持ったまま、もう一方の手にスプーンを持って掬い取った調味料等を鍋まで移動させることがある。また、乳児に与えるミルクを作る際には、片手で乳児を抱いたまま、もう一方の手に持ったスプーンで粉ミルクを掬い取って哺乳瓶へ入れることがある。
【０００５】
一方、掬い部は上方が開放した状態になっていることから、特に、他の作業を伴う場合には、掬い取った粉体を移動する際や他の容器等に入れる際に粉体を溢してしまうことがある。しかも掬い部は、その上縁まで粉体を満たすことによって所定の量が計り取れるように設計されていることが一般的であるため、掬い部が粉体で満たされる状態で使用されることが多く、粉体が溢れてしまう不具合が生じやすくなっている。
【０００６】
本発明は、このような問題点を解決することを課題とするものであり、掬い部で掬い取った粉体を他の容器等に入れるにあたり、粉体の溢れを防止することができるスプーンを提供することを目的とする。
【課題を解決するための手段】
【０００７】
本発明は、掬い部及び該掬い部につながる柄部を有するスプーン本体と、
前記柄部に対して回転可能に支持される支持部、及び該支持部につながるとともに該支持部の回転に伴って前記掬い部を閉鎖する位置と該掬い部を開放する位置との間で移動する遮蔽部を有する蓋体とを備えるスプーンであって、
前記支持部は、前記柄部が延在する面に対して接近或いは離反する向きに回転可能に支持されるものであり、
前記掬い部及び前記遮蔽部の少なくとも一方は、前記柄部又は前記支持部に対してスライド可能につながるものであって、前記支持部の回転に伴って該遮蔽部が該掬い部を閉鎖した位置において該掬い部及び該遮蔽部の少なくとも一方をスライドさせることによって該掬い部及び該遮蔽部の少なくとも一方が少なくとも部分的に開放されるスプーンである。
【０００８】
前記遮蔽部は、前記掬い部が凹む向きとは反対に凹むものであることが好ましい。
【０００９】
前記遮蔽部の内容積は、前記掬い部の内容積に対して相異するものであることが好ましい。
【００１０】
前記掬い部は、平面状の前方周壁を有することが好ましい。
【００１１】
前記柄部及び前記支持部の少なくとも一方は、他方に対して当接し、該柄部が延在する面に対して該支持部を離反させる弾性部を有することが好ましい。
【発明の効果】
【００１２】
本発明のスプーンによれば、蓋体を回転させることによって、遮蔽部を、掬い部を閉鎖する位置と該掬い部を開放する位置との間で移動させることができる。このため粉体を掬い取った後は、蓋体を回転させて遮蔽部で掬い部を閉鎖することによって、粉体の溢れを防止することができる。また、掬い部及び遮蔽部の少なくとも一方をスライドさせれば、掬い部が少なくとも部分的に開放されるため、口の大きさが小さい容器であっても、粉体を溢すことなくその中に入れることができる。
【図面の簡単な説明】
【００１３】
【図１】本発明に従うスプーンの一実施形態につき、スプーン本体に対して蓋体を上方に位置させた姿勢で掬い部を開放した状態を示す斜視図である。
【図２】図１に示すスプーンにつき、蓋体に対してスプーン本体を上方に位置させた姿勢で掬い部を開放した状態を示す斜視図である。
【図３】図１に示すスプーン本体の前方部材を示す、（ａ）は背面図であり、（ｂ）は側面図であり、（ｃ）は平面図である。
【図４】図１に示すスプーン本体の後方部材を示す、（ａ）は背面図であり、（ｂ）は側面図であり、（ｃ）は平面図であり、（ｄ）は（ｃ）に示すＡ−Ａに沿う断面図であり、（ｅ）は（ｄ）の変形例を示す断面図である。
【図５】図１に示す蓋体を示す、（ａ）は背面図であり、（ｂ）は側面図であり、（ｃ）は平面図である。
【図６】図１におけるスプーンの側面図であって、（ａ）は前方部材の掬い部が遮蔽部で閉鎖される位置での図であり、（ｂ）は前方部材を前方に向けてスライドさせた位置での図であり、（ｃ）は、蓋体に対してスプーン本体を上方に位置させた姿勢で、前方部材を後方に向けてスライドさせた位置での図である。
【発明を実施するための形態】
【００１４】
以下、図面を参照しながら本発明に従うスプーンの一実施形態について説明する。なお、本明細書等においては、スプーン本体の柄部に対して掬い部が位置する側を前方とし、逆側を後方として説明する。
【００１５】
図１〜図６に示した本実施形態のスプーン１は、スプーン本体２と蓋体５とで構成されていて、更にスプーン本体２は、前方部材３と後方部材４とで構成されている。
【００１６】
前方部材３は、凹状をなしていて粉体を掬い取ることができる掬い部３ａを備えている。本実施形態の掬い部３ａは、図３（ｂ）に示すように、前後方向に平面状に延在する底壁３ｂと、底壁３ｂの前方縁部に連結するとともに底壁３ｂに対して略垂直になる平面状の前方周壁３ｃと、底壁３ｂの両側方縁部に連結するとともに底壁３ｂに対して略垂直になる平面状の側方周壁３ｄと、底壁３ｂの後方縁部に連結するとともに底壁３ｂに対して前方から後方に向かって傾斜する平面状の後方周壁３ｅとで形成されている。また、対をなす側方周壁３ｄのそれぞれには、前後方向に延在する掬い部縁壁３ｆが設けられている。なお、対をなす掬い部縁壁３ｆの間隔は、後述する遮蔽部の幅と略同等、或いは若干広くなっている。このため、後述するように遮蔽部に対して掬い部３ａが前後方向にスライドする際には、掬い部縁壁３ｆは掬い部３ａのガイドとして機能する。
【００１７】
掬い部３ａの後方には、掬い部３ａの開口縁につながるとともに前後方向に延在する平面状の連結部３ｇが設けられている。また連結部３ｇにおいて、底壁３ｂが位置する側の面には、左右方向に延在する複数の指掛けリブ３ｈが設けられている。
【００１８】
そして連結部３ｇの後方には、前後方向に延在する平面状の延設部３ｊが設けられている。延設部３ｊの両側縁部には、前後方向に延在するとともに延設部３ｊよりも厚みの薄い平面状のレール部３ｋが設けられている。そしてレール部３ｋの後方部分には、側方に向けて突出する爪部３ｍが設けられている。またレール部３ｋには、爪部３ｍの内側においてレール部３ｋを貫く貫通穴３ｎが設けられている。
【００１９】
後方部材４は、前後方向に延在する平面状の柄部４ａを備えている。図４（ｃ）に示すように柄部４ａの幅方向中央部分には、前後方向に延在する切り欠き４ｂが設けられている。また切り欠き４ｂが設けられている柄部４ａの両内側側壁には、図４（ｂ）に示すように、側方外側に向けて柄部４ａを切り欠く溝部４ｃが設けられている。なお、切り欠き４ｂ及び溝部４ｃは、前方部材３における延設部３ｊ、レール部３ｋ及び爪部３ｍに適合するサイズで形成されていて、前方部材３は、後方部材４に対して前後方向にスライドすることが可能である。なお、本実施形態における柄部４ａは、上下方向に延在して溝部４ｃの幅方向外側端部に通じる長孔４ｄを備えている。これにより、例えば金型で溝部４ｃを形成する場合に、溝部４ｃの幅方向外側端部はこの長孔４ｄに対応する金型部分で形成することができるため、溝部４ｃの形成が容易になり、また仕上がり精度も高めることができる。また図示は省略するが、溝部４ｃの前方部分には、爪部３ｍに適合する突起が設けられていて、この爪部３ｍと不図示の突起によって、後方部材４に対する前方部材３の抜け止めを構成している。なお、レール部３ｋには貫通穴３ｎが設けられていて、溝部４ｃにレール部３ｋを差し込む際には、爪部３ｍを設けた部位のレール部３ｋが内側に撓むため、爪部３ｍは不図示の突起を乗り越えることができる。
【００２０】
また柄部４ａにおいて、その両側縁部には、前後方向に延在するとともに後方部分が側面視で円形状になる柄部縁壁４ｅが設けられている。なお、対をなす柄部縁壁４ｅの間隔は、後述する支持部の幅と略同等、或いは若干広くなっている。このため、後述するようにスプーン本体２と蓋体５とを閉じた際には、対をなす柄部縁壁４ｅの内側に支持部が入り込むため、後方部材４と蓋体５とは左右方向に相互に位置決めされる。また柄部４ａの後方には、横断面形状がＣ字状になる軸受け部４ｆが設けられている。なお、柄部４ａにおいて柄部縁壁４ｅの脇には、図４（ｅ）に示すように、長孔４ｄと同様に前後方向に延在するリブ４ｇを設けてもよい。
【００２１】
蓋体５は、図１、図２、及び図５に示すように、掬い部３ａを閉鎖する位置と掬い部３ａを開放する位置との間で移動する遮蔽部５ａを備えている。本実施形態における遮蔽部５ａは、掬い部３ａと合わさったときに掬い部３ａが凹む向きとは反対に向きに凹状をなすものである。なお、掬い部３ａの内容積Ｖ１は、遮蔽部５ａの内容積Ｖ２よりも大きくなっている。図５に示すように遮蔽部５ａは、平面状になる天壁５ｂと、天壁５ｂの前方縁部に連結するとともに天壁５ｂに対して後方から前方に向かって傾斜する平面状の前方周壁５ｃと、天壁５ｂの両側方縁部に連結するとともに天壁５ｂに対して略垂直になる平面状の側方周壁５ｄと、天壁５ｂの後方縁部に連結するとともに天壁５ｂに対して前方から後方に向かって傾斜する平面状の後方周壁５ｅとで形成されている。
【００２２】
遮蔽部５ａの後方には、前後方向に延在する平面状の支持部５ｆが設けられている。支持部５ｆにおいて、天壁５ｂが位置する側の面には、左右方向に延在する複数の指掛けリブ５ｇが設けられている。また、支持部５ｆの後方部分には、穴５ｈが設けられていて、穴５ｈの後方側壁には、後方から前方に向かって傾斜して延在する弾性片５ｊが設けられている。更に支持部５ｆの後端部には、対をなす円形部５ｋが設けられていて、これら円形部５ｋの内側には、横断面形状が円形状になる軸部５ｍが設けられている。なお軸部５ｍは、軸受け部４ｆに嵌め合わされた際に軸受け部４ｆに対して回転可能なサイズで形成されている。
【００２３】
このような形態になるスプーン本体２の前方部材３及び後方部材４にあっては、図３に示す前方部材３の延設部３ｊ、レール部３ｋ及び爪部３ｍを、図４に示す後方部材４の切り欠き４ｂ及び溝部４ｃに差し込むことで、前方部材３は後方部材４に対して前後方向にスライド可能に保持される。また、蓋体５は、後方部材４の軸受け部４ｆに対して軸部５ｍを嵌め合わせることで、後方部材４が延在する面に対して接近或いは離反する向きに回転可能に支持される。なお、スプーン本体２を蓋体５に接近させた際、図１に示すように弾性片５ｊは柄部４ａに弾性的に当接するため、スプーン１に力を加えていない状態では、蓋体５はスプーン本体２に対して離反している。
【００２４】
このようにしてスプーン本体２と蓋体５とが組み合わさるスプーン１において、容器に収容した粉体を掬い取るにあたっては、図１、図２に示すように、スプーン本体２と蓋体５が開いた状態で容器に差し込み、トングのようにしてスプーン本体２と蓋体５とを閉じることによって、掬い部３ａと遮蔽部５ａの内部に粉体を掬い取ることができる。本実施形態にあっては、図３（ｂ）に示すように、掬い部３ａの前方周壁３ｃが平面状になっていて、且つスプーン本体２の柄部４ａに対して略垂直になっているため、容器の底に残った粉体であっても、効率よく掬い取ることができる。
【００２５】
ここで、掬い部３ａと遮蔽部５ａの両方が粉体で満たされる場合は、それぞれの内容積の合計であるＶ１＋Ｖ２の量の粉体を掬い取ることができる。また、例えば掬い取った後にスプーン本体２に対して蓋体５を上方に位置させた向きとし（図１参照）、スプーン本体２に対して蓋体５を開いた状態で軽く揺するなどして掬い部３ａのみに粉体が収容されるようにすれば、Ｖ１の量の粉体を掬い取ることができる。同様にして、蓋体５に対してスプーン本体２を上方に位置させた向きとし（図２参照）、蓋体５に対してスプーン本体２を開いた状態で軽く揺するなどして遮蔽部５ａのみに粉体が収容されるようにすれば、Ｖ２の量の粉体を掬い取ることができる。このように本実施形態のスプーン１にあっては、粉体を３種類の量で計り取ることができる。
【００２６】
このようにして粉体を掬い取った後は、図６（ａ）に示すように、スプーン本体２と蓋体５とを閉じた状態にして他の容器等へ移動する。この状態において、掬い部３ａと遮蔽部５ａも閉じているため、移動中に掬い取った粉体が溢れてしまうことがない。
【００２７】
そして他の容器まで移動させた後は、再びスプーン本体２と蓋体５とを開けば、掬い取った粉体をその容器内へ入れることができる。
【００２８】
なお、容器によっては口の大きさが小さいことがあるが、この場合であってもスプーン１では、粉体をこぼさずに容器内へ入れることができる。このような場合には、スプーン１で掬った粉体を容器へ入れるにあたり、図６（ｂ）に示すように、前方部材３を後方部材４に対して前方に向けてスライドさせればよい。なお、粉体は、掬い部３ａに収容されているものとする。このように前方部材３をスライドさせれば、そのスライド加減で掬い部３ａを部分的に開放することができるため、口の大きさが小さい容器であっても、粉体をこぼすことなくその中に入れることができる。
【００２９】
なお、図４（ｅ）に示すように後方部材４の柄部４ａにリブ４ｇを設ける場合は、スプーン本体２と蓋体５とを閉じた状態において、柄部４ａと支持部５ｆとの間には隙間が形成され、また連結部３ｇ及び延設部３ｊと支持部５ｆの間にも隙間が形成される。すなわち、前方部材３を後方部材４に対してスライドさせる際の抵抗が極力抑えられるため、後方部材４をスムーズにスライドさせることができる。また図４に示した、対をなす柄部縁壁４ｅの間隔は、図５に示す支持部５ｆの幅と略同等、或いは若干広くなっていて、スプーン本体２と蓋体５とを閉じた際には、後方部材４と蓋体５とを左右方向に相互に位置決めすることができる。また図３に示した、対をなす掬い部縁壁３ｆの間隔は、図５に示す遮蔽部５ａの幅と略同等、或いは若干広くなっていて、掬い部縁壁３ｆは、前方部材３がスライドする際のガイドとして機能する。すなわち、柄部縁壁４ｅと掬い部縁壁３ｆによって、前方部材３を真っ直ぐにスライドさせることができる。
【００３０】
また、粉体が遮蔽部５ａに収容されている場合には、図６（ｃ）に示すように、蓋体５に対してスプーン本体２を上方に位置させた状態にして、前方部材３を後方部材４に対して後方に向けてスライドさせる。このようにすれば、遮蔽部５ａを部分的に開放することができるため、口の大きさが小さい容器であっても、粉体をこぼすことなくその中に入れることができる。
【００３１】
本発明に従うスプーンは、これまでに説明した実施形態に限られるものではなく、特許請求の範囲に従う範疇で種々の変更を加えたものも含まれる。例えば、上述した実施形態の蓋体５は、軸受け部４ｆに軸部５ｍが嵌められることによってスプーン本体２に回転可能に支持されているが、スプーン本体２と蓋体５をヒンジで一体に連結して同様の構成にしてもよい。なおこの場合、蓋体５は、ヒンジによってスプーン本体２から離反する向きに力を受けるため、弾性片５ｊを省略しても、上述した実施形態と同様の機能が実現可能である。また、これまでに説明した実施形態では、スプーン本体を前方部材と後方部材の２つの部材で構成し、これによって掬い部が柄部に対してスライドするように構成したが、同じようにして蓋体を前方部材と後方部材の２部材で構成することによって、遮蔽部が支持部に対してスライドするように構成してもよい。また遮蔽部は、これまでに説明したように凹状になることが好ましいが、平面状であってもよい。
【符号の説明】
【００３２】
１：スプーン
２：スプーン本体
３：前方部材
３ａ：掬い部
３ｂ：底壁
３ｃ：前方周壁
３ｄ：側方周壁
３ｅ：後方周壁
３ｆ：掬い部縁壁
３ｇ：連結部
３ｈ：指掛けリブ
３ｊ：延設部
３ｋ：レール部
３ｍ：爪部
３ｎ：貫通穴
４：後方部材
４ａ：柄部
４ｂ：切り欠き
４ｃ：溝部
４ｄ：長孔
４ｅ：柄部縁壁
４ｆ：軸受け部
４ｇ：リブ
５：蓋体
５ａ：遮蔽部
５ｂ：天壁
５ｃ：前方周壁
５ｄ：側方周壁
５ｅ：後方周壁
５ｆ：支持部
５ｇ：指掛けリブ
５ｈ：穴
５ｊ：弾性片
５ｋ：円形部
５ｍ：軸部
【図１】
2018204960.tif 000003
【図２】
2018204960.tif 000004
【図３】
2018204960.tif 000005
【図４】
2018204960.tif 000006
【図５】
2018204960.tif 000007
【図６】
2018204960.tif 000008